(57)【要約】【課題】光源の保護構造の提供。【解決手段】光源の保護構造に係り、反射カバーの二側にそれぞれ凸点があり、それは反射カバーの開口に近接し並びに内向きに反射カバーの収容空間内に突出し、且つ凸点は光源の二端の非発光電極エリアに位置する。こうして、凸点が光源の光に影響を与えず、バックライトモジュールの製品輝度を維持でき、且つバックライトモジュールの衝撃試験過程中に、凸点が有効に導光板の移動を阻止し、導光板の移動により形成される光源衝撃の問題を防止する。同様に、バックライトモジュールのランプカバーの二側が上向きに折り曲げられてストッパ片が形成され、それは反射カバーの開口と導光板の間に位置し、且つストッパ片が導光板の移動を阻止して前述の機能を達成する。【選択図】        図４
2006128102.tif 000002
【特許請求の範囲】
【請求項１】
光源の保護構造であって、該保護構造はバックライトモジュールと組み合わせて使用され、このバックライトモジュールは、導光板及び光源を包含し、該光源の保護構造は、
収容空間、開口及び凸点を包含する反射カバーを包含し、
そのうち、該光源は該反射カバーの該収容空間内に収容され、並びに開口側に向けて出光し、且つ導光板は反射カバーの開口近くに対応し、該凸点は反射カバーの開口の近隣にあり、並びに内向きに収容空間内に向けて突出し、該バックライトモジュールが振動を受ける時、該凸点が導光板の移動を制限し、光源に対する衝撃を防止することを特徴とする、光源の保護構造。
【請求項２】
請求項１記載の光源の保護構造において、該光源は灯管とされ、該光源の二端に非発光電極エリアがあり、凸点の位置がこれら非発光電極エリアに対応することを特徴とする、光源の保護構造。
【請求項３】
請求項１記載の光源の保護構造において、反射カバーの凸点が加圧方式で形成されたことを特徴とする、光源の保護構造。
【請求項４】
請求項１記載の光源の保護構造において、反射カバーの凸点が楕円形凸点とされたことを特徴とする、光源の保護構造。
【請求項５】
請求項１記載の光源の保護構造において、反射カバーが反射片を折り曲げて形成されたことを特徴とする、光源の保護構造。
【請求項６】
請求項５記載の光源の保護構造において、反射片がアルミ片とされたことを特徴とする、光源の保護構造。
【請求項７】
請求項１記載の光源の保護構造において、バックライトモジュールが更にプリズム片及び拡散片を包含し、且つ該プリズム片と該拡散片がそれぞれ該導光板の上方に積層状をなすよう設置されたことを特徴とする、光源の保護構造。
【請求項８】
光源の保護構造であって、該保護構造はバックライトモジュールと組み合わせて使用され、このバックライトモジュールは、導光板及び光源を包含し、該光源の保護構造は、
ランプカバーであって、該ランプカバーの上に形成されたストッパ片を具えた、上記ランプカバーと、
反射カバーであって、該ランプカバーの上に取り付けられ、且つ該反射カバーが収容空間、及び開口を具えた、上記反射カバーを包含し、
そのうち、光源は反射カバーの収容空間内に収容され、並びに開口側に向けて出光し、且つ導光板は反射カバーの開口に近接し、該ストッパ片は光源と導光板の間にあって突出し、バックライトモジュールが振動を受ける時、ストッパ片が導光板の移動を制限し、光源に対する衝撃を防止することを特徴とする、光源の保護構造。
【請求項９】
請求項８記載の光源の保護構造において、光源は灯管とされて、且つその二端に非発光電極エリアが設けられ、ストッパ片の位置がこれら非発光電極エリアに対応することを特徴とする、光源の保護構造。
【請求項１０】
請求項８記載の光源の保護構造において、反射カバーに開孔が開設され、ランプカバーのストッパ片が該開孔を通り該光源と該導光板間に突出することを特徴とする、光源の保護構造。
【請求項１１】
請求項１０記載の光源の保護構造であって、反射カバーがランプカバーの上に積層状をなすよう設置される延伸板を包含し、前記開孔が該延伸板に開設されたことを特徴とする、光源の保護構造。
【請求項１２】
請求項８記載の光源の保護構造であって、ランプカバーのストッパ片が半円形とされたことを特徴とする、光源の保護構造。
【請求項１３】
請求項８記載の光源の保護構造であって、ランプカバーのストッパ片の断面形状がＬ形とされたことを特徴とする、光源の保護構造。
【請求項１４】
請求項８記載の光源の保護構造であって、反射カバーが反射片を折り曲げて形成されたことを特徴とする、光源の保護構造。
【請求項１５】
請求項１４記載の光源の保護構造であって、反射片がアルミ片とされたことを特徴とする、光源の保護構造。
【請求項１６】
請求項８記載の光源の保護構造であって、バックライトモジュールが更にプリズム片及び拡散片を包含し、且つ該プリズム片と該拡散片がそれぞれ該導光板の上方に積層状をなすように設置されたことを特徴とする、光源の保護構造。
【発明の詳細な説明】
【技術分野】
【０００１】
本発明は光源の保護構造に係り、特に、導光板を光源による衝撃から保護する構造であって、例えば液晶ディスプレイに適用される光源の保護構造に関する。
【背景技術】
【０００２】
液晶ディスプレイ（ＬＣＤ）は非自己発光のディスプレイであり、光源を外付けする方式により表示機能を達成する。例えばバックライトモジュールが液晶ディスプレイ中で光源の役割を果たし、液晶ディスプレイの重要な部品の一つとなっている。
【０００３】
このほか、一般の精密電子製品は市販される前にいずれも基本的な検査を行ってその製品に受け入れ可能な程度以上の品質を確保させると共に、消費者の権益を維持する。バックライトモジュールも例外ではなく、各メーカーはバックライトモジュールに対して完全な品質制御とサービスシステムを有して、厳密にバックライトモジュールの品質管理を実行している。特に、現在、市場競争が激烈な環境にあって、各メーカーは更に厳格な試験標準を定めることで、その製品の品質に対する信頼度を明らかとし、いわゆる信頼性試験等を行い、市場で認められるよう努力している。
【０００４】
図１は周知のバックライトモジュールの立体分解図であり、図２は周知の光源の保護構造の断面図である。そのうち、バックライトモジュール９は、重畳された下ケース板９１、導光板９２、プリズム片９３、拡散片９４等を具え、また下ケース板９１の側端９１１に反射カバー９５及びランプカバー９６が取り付けられ、並びに反射カバー９５内に光源９７が収容され、ランプが形成されている。
【０００５】
上述のバックライトモジュール９にいわゆる信頼性試験を行う時は、バックライトモジュール９を固定角度の方向例えばＹ方向に衝突させ、これと同時に、バックライトモジュール９上の特定点に破裂状況が発生したかを検査する。しかし、衝撃時に、バックライトモジュール９内の導光板９２はスライド動作を形成し、且つ導光板９２がこのスライド動作により光源９７に衝突して、光源９７を破裂させてその発光に影響を与えることがあり、これが全体のバックライトモジュール９の輝度（ｌｕｍｉｎａｎｃｅ）に影響を与え、即ち全体のバックライトモジュール９の見た目の輝度に影響を与える。
【０００６】
図２から分かるように、導光板９２の光源９７への衝撃を防止する伝統的な方法は、反射カバー９５の二側に下向きに折り曲げた折り片９５１を設け、この二側の折り片９５１を光源９７の二側の非発光電極エリア９７１内に位置させ、且つの二つの折り片９５１に導光板９２の阻止作用を形成させて、光源９７の発光に影響を与えないようにする、というものである。
【０００７】
しかし反射カバー９５の材質は通常厚さが薄い金属片が使用され、ゆえに下向きに折り曲げられた折り片９５１は、衝撃時にその力が導光板９２のスライドを防止するには不足する。このほか、反射カバー９５を切り開いて下向きに折り曲げて折り片９５１を形成する方法もまた、応力集中問題を形成して全体の反射カバー９５の強度に影響を与え、且つ光源９７の光がこの切り開いた部分より外向きに発散されるため、光学異常の問題を形成する。
【０００８】
このほか、反射カバー９５を切り開いて下向きに折り曲げて折り片９５１を形成する方法は、折り片９５１にバリを形成するほか、製造上もまた困難であり、理想的とはいえない。
【０００９】
上述の方法のほか、直接導光板９２にゴムシートを貼り付け、導光板９２のスライド並びに光源９２への衝撃を防止する方法もあるが、ゴムシートの粘着力はいわゆる信頼性試験に対応するのには不足する。
【００１０】
このほか、導光板９２の二側を直接切断して凹溝を形成し、並びに下ケース板９１で阻止する方法もあるが、この方法は、別に導光板９２の形状を設計しなければならず、且つ光学異常現象を形成しやすい。
【発明の開示】
【発明が解決しようとする課題】
【００１１】
本発明の光源の保護構造はバックライトモジュールと組み合わせて使用され、このバックライトモジュールは、導光板及び光源を包含する。
【００１２】
このほか、本発明の光源の保護構造は、反射カバーを包含し、この反射カバーは収容空間、開口及び凸点を包含する。
【００１３】
このほか、光源は反射カバーの収容空間内に収容され、並びに開口に向けて出光し、且つ導光板は反射カバーの開口近くに対応する。
【００１４】
上述の構造中、凸点は反射カバーの開口の近隣にあり、並びに内向きに収容空間内に向けて突出し、バックライトモジュールが振動を受ける時、凸点が導光板の移動を制限し、導光板の光源に対する衝撃を防止する。
【００１５】
以上から分かるように反射カバーの凸点は、いわゆる信頼性試験実施時に、バックライトモジュールの衝撃試験過程中に、有効に導光板の移動を阻止し、導光板の移動による光源に対する衝撃を防止する。
【００１６】
上述の光源は灯管とされ得て、且つその二端に非発光電極エリアが設けられ、且つ反射カバーの凸点の位置は非発光電極エリアに対応し、これにより凸点が光源に影響を与えず、バックライトモジュールの製品輝度を維持できる。
【００１７】
上述の反射カバーの凸点は機械成形方式で形成され、好ましくは加圧方式で形成され、且つ凸点の形状は楕円形凸点或いは円形、方形凸点等とされる。前述の反射片の折り曲げで形成され、例えば金属片、好ましくはアルミ片の折り曲げにより形成される。
【００１８】
このほか、上述のバックライトモジュールはプリズム片と拡散片を包含し、且つプリズム片と拡散片は導光板の上方に重畳し、当然、バックライトモジュールにガラス等を取り付け可能である。
【００１９】
このほか、本発明の光源の保護構造は、ランプカバー、及び反射カバーを包含し、そのうち、ランプカバーはストッパ片を包含し、該ストッパ片はランプカバーの上に形成され、反射カバーはランプカバーに取り付けられ、且つ反射カバーが収容空間と開口を具えている。
【００２０】
このほか光源は反射カバーの収容空間内に収容され、並びに開口側に向けて出光し、且つ導光板は反射カバーの開口に近接する。
【００２１】
上述の構造中、ストッパ片は光源と導光板の間に突出し、バックライトモジュールが振動を受ける時、ストッパ片が導光板の移動を制限し、光源に対する衝撃を防止する。
【００２２】
同様に、上述の構造から分かるように、ランプカバーのストッパ片は所謂信頼性試験実施時に、バックライトモジュールの衝撃試験過程中に、有効に導光板の移動を阻止し、導光板の移動による光源に対する衝撃を防止する。
【００２３】
上述の光源は灯管とされ得て、且つその二端に非発光電極エリアが設けられ、且つ反射カバーの凸点の位置は非発光電極エリアに対応し、これにより凸点が光源に影響を与えず、バックライトモジュールの製品輝度を維持できる。
【００２４】
上述の反射カバーに開孔が開設され、且つランプカバーのストッパ片は開孔を通り光源と導光板の間に突出する。前述の反射カバーは更に延伸板を包含し、この延伸板はランプカバーの上に重畳し、且つ前述の開孔が延伸板に開設されうる。
【００２５】
このほか上述のランプカバーのストッパ片の形状は、半円形、或いは三角形、方形、半楕円形、台形、或いはその他の形状に形成され得て、且つランプカバーのストッパ片の断面形状はＬ形或いは傾斜状、半円形、三角形、或いはその他の形状とされうる。
【００２６】
このほか、上述の反射カバーは反射片の折り曲げで形成され、例えば金属片、好ましくはアルミ片の折り曲げにより形成される。
【００２７】
また、バックライトモジュールは更にプリズム片と拡散片を包含し得て、且つプリズム片と拡散片は導光板の上方に重畳し、当然、バックライトモジュールにガラス等を重畳するように取り付け可能である。
【課題を解決するための手段】
【００２８】
請求項１の発明は、光源の保護構造であって、該保護構造はバックライトモジュールと組み合わせて使用され、このバックライトモジュールは、導光板及び光源を包含し、該光源の保護構造は、
収容空間、開口及び凸点を包含する反射カバーを包含し、
そのうち、該光源は該反射カバーの該収容空間内に収容され、並びに開口側に向けて出光し、且つ導光板は反射カバーの開口近くに対応し、該凸点は反射カバーの開口の近隣にあり、並びに内向きに収容空間内に向けて突出し、該バックライトモジュールが振動を受ける時、該凸点が導光板の移動を制限し、光源に対する衝撃を防止することを特徴とする、光源の保護構造としている。
請求項２の発明は、請求項１記載の光源の保護構造において、該光源は灯管とされ、該光源の二端に非発光電極エリアがあり、凸点の位置がこれら非発光電極エリアに対応することを特徴とする、光源の保護構造としている。
請求項３の発明は、請求項１記載の光源の保護構造において、反射カバーの凸点が加圧方式で形成されたことを特徴とする、光源の保護構造としている。
請求項４の発明は、請求項１記載の光源の保護構造において、反射カバーの凸点が楕円形凸点とされたことを特徴とする、光源の保護構造としている。
請求項５の発明は、請求項１記載の光源の保護構造において、反射カバーが反射片を折り曲げて形成されたことを特徴とする、光源の保護構造としている。
請求項６の発明は、請求項５記載の光源の保護構造において、反射片がアルミ片とされたことを特徴とする、光源の保護構造としている。
請求項７の発明は、請求項１記載の光源の保護構造において、バックライトモジュールが更にプリズム片、及び、拡散片を包含し、且つ該プリズム片と該拡散片がそれぞれ該導光板の上方に積層状をなすよう設置されたことを特徴とする、光源の保護構造としている。
請求項８の発明は、光源の保護構造であって、該保護構造はバックライトモジュールと組み合わせて使用され、このバックライトモジュールは、導光板及び光源を包含し
ランプカバーであって、該ランプカバーの上に形成されたストッパ片を具えた、上記ランプカバーと、
反射カバーであって、該ランプカバーの上に取り付けられ、且つ該反射カバーが収容空間、及び開口を具えた、上記反射カバー
を包含し、そのうち、光源は反射カバーの収容空間内に収容され、並びに開口側に向けて出光し、且つ導光板は反射カバーの開口に近接し、該ストッパ片は光源と導光板の間にあって突出し、バックライトモジュールが振動を受ける時、ストッパ片が導光板の移動を制限し、光源に対する衝撃を防止することを特徴とする、光源の保護構造としている。
請求項９の発明は、請求項８記載の光源の保護構造において、光源は灯管とされて、且つその二端に非発光電極エリアが設けられ、ストッパ片の位置がこれら非発光電極エリアに対応することを特徴とする、光源の保護構造としている。
請求項１０の発明は、請求項８記載の光源の保護構造において、反射カバーに開孔が開設され、ランプカバーのストッパ片が該開孔を通り該光源と該導光板間に突出することを特徴とする、光源の保護構造としている。
請求項１１の発明は、請求項１０記載の光源の保護構造であって、反射カバーがランプカバーの上に積層状をなすよう設置される延伸板を包含し、前記開孔が該延伸板に開設されたことを特徴とする、光源の保護構造としている。
請求項１２の発明は、請求項８記載の光源の保護構造であって、ランプカバーのストッパ片が半円形とされたことを特徴とする、光源の保護構造としている。
請求項１３の発明は、請求項８記載の光源の保護構造であって、ランプカバーのストッパ片の断面形状がＬ形とされたことを特徴とする、光源の保護構造としている。
請求項１４の発明は、請求項８記載の光源の保護構造であって、反射カバーが反射片を折り曲げて形成されたことを特徴とする、光源の保護構造としている。
請求項１５の発明は、請求項１４記載の光源の保護構造であって、反射片がアルミ片とされたことを特徴とする、光源の保護構造としている。
請求項１６の発明は、請求項８記載の光源の保護構造であって、バックライトモジュールが更にプリズム片、及び、拡散片を包含し、且つ該プリズム片と該拡散片がそれぞれ該導光板の上方に積層状をなすように設置されたことを特徴とする、光源の保護構造としている。
【発明の効果】
【００２９】
本発明はバックライトモジュールに組み合わせて使用される光源の保護構造を提供し、それは、反射カバーの二側にそれぞれ凸点があり、それは反射カバーの開口に近接し並びに内向きに反射カバーの収容空間内に突出し、且つ凸点は光源の二端の非発光電極エリアに位置する。こうして、凸点が光源の光に影響を与えず、バックライトモジュールの製品輝度を維持でき、且つバックライトモジュールの衝撃試験過程中に、凸点が有効に導光板の移動を阻止し、導光板の移動により形成される光源衝撃の問題を防止する。同様に、バックライトモジュールのランプカバーの二側が上向きに折り曲げられてストッパ片が形成され、それは反射カバーの開口と導光板の間に位置し、且つストッパ片が導光板の移動を阻止して前述の機能を達成する。
【発明を実施するための最良の形態】
【００３０】
図３は本発明の第１実施例の立体分解図であり、図４は本発明の第１実施例の部分拡大図、図５は本発明の第１実施例の断面図である。そのうち、バックライトモジュール１は、下ケース板１１、導光板１２、反射カバー１３、光源１４、プリズム片１５、及び拡散片１６を包含する。そのうち、導光板１２、プリズム片１５、及び拡散片１６はそれぞれ下ケース板１１の上方に重畳するように積層状をなすよう設置され、且つ反射カバー１３は下ケース板１１のそのうち一方の側端１１１に取り付けられる。当然、所謂バックライトモジュール１に更にガラス（図示せず）等のその他の部品を積層状をなすよう設置可能である。
【００３１】
このほか、上述の反射カバー１３に、内部の収容空間１３１と、開口１３２が設けられる。該開口１３２は下ケース板１１に向き、且つ本実施例では、反射カバー１３はアルミ片の反射片を折り曲げて形成される。光源１４は反射カバー１３の収容空間１３１内に収容され、且つ光源１４の二端に非発光電極エリア１４１が設けられ、それは電線に接続されて光を発生する。本実施例では、光源１４は灯管とされる。
【００３２】
このほか、図中の導光板１２は反射カバー１３の開口１３２、及び反射カバー１３の収容空間１３１内の光源１４の近隣に位置し、反射カバー１３の反射カバー長軸の二側に凸点１３３が凸設され、本実施例では、凸点１３３が加圧方式で形成された、凸点１３３の形状は楕円形とされている。また、前述の反射カバー１３の二側の凸点１３３は反射カバー１３の開口１３２の近隣にあり、並びに内向きに反射カバー１３の収容空間１３１内に突出し、且つ反射カバー１３の二側の凸点１３３は光源１４の二端の非発光電極エリア１４１に位置する。
【００３３】
これにより、反射カバー１３の二側の凸点１３３がそれぞれ光源１４の二端の非発光電極エリア１４１に位置し、これにより光源１４の発生する光に影響を与えず、即ち光源１４がその照射機能を維持し、バックライトモジュール１の製品輝度を維持し、且つ所謂信頼性試験実施時に、バックライトモジュール１の衝撃試験過程中に、反射カバー１３の二側の凸点１３３が有効に導光板１２の移動を阻止し、導光板１２の移動による光源１４に対する衝撃の問題を防止できる。
【００３４】
図６は本発明の第２実施例の部分拡大図であり、そのうち、凸点１３４の形状は円形とされている。図７は本発明の第３実施例の部分拡大図であり、そのうち、凸点１３５の形状は方形とされている。これから分かるように、凸点の形状に制限はなく、任意の形状とされうる。
【００３５】
図８は本発明の第４実施例の立体分解図、図９は本発明の第４実施例の部分拡大図、図１０は本発明の第４実施例の断面図である。そのうち、バックライトモジュール２は、下ケース板２１、導光板２２、反射カバー２３、光源２４、ランプカバー２５、プリズム片２６、及び拡散片２７を包含する。そのうち、導光板２２、プリズム片２６、拡散片２７はそれぞれ下ケース板２１の上方に積層状に重畳し、且つランプカバー２５は下ケース板２１のそのうちの一側端２１１に取り付けられる。当然、所謂バックライトモジュール２に更にガラス（図示せず）等を積層状をなすよう設置可能である。
【００３６】
このほか図中の反射カバー２３はランプカバー２５の上に積層状をなすよう設置され、且つ反射カバー２３は内部の収容空間２３１と、開口２３２を具え、この開口２３２は該開口１３２は下ケース板２１に向いている。本実施例では、反射カバー２３はアルミ片の反射片を折り曲げて形成される。反射カバー２３より外向きに延伸板２３４が延伸され、この延伸板２３４はランプカバー２５に積層状をなすよう設置され、また、延伸板２３４の二側に開孔２３３が開設され、それは反射カバー２３の開孔２３２に近接する。
【００３７】
このほか、光源２４は反射カバー２３の収容空間２３１内に収容され、且つ光源２４の二端に非発光電極エリア２４１が設けられ、それは電線に接続されて光を発生する。本実施例では、光源２４は灯管とされる。導光板２２は反射カバー２３の開口２３２の近隣にあり、反射カバー２３の収容空間２３１内の光源２４に対応する。
【００３８】
特に、ランプカバー２５の二側は上向きに折り曲げられて、ストッパ片２５１が形成され、それは反射カバー１３の延伸板２３４の二側に開設された開孔２３３より突出する。本実施例では、ランプカバー２５の二側のストッパ片２５１は半円形とされ、且つその断面形状はそれぞれＬ形とされ、また、ランプカバー２５の二側のストッパ片２５１はそれぞれ光源２４の二側の非発光電極エリア２４１の近隣に位置し、並びに上向きに反射カバー１３の開口２３２と導光板２２の間の位置より上向きに突出する。
【００３９】
これにより、ランプカバー２５の二側に上向きにストッパ片２５１が凸設され、並びにそれがそれぞれ光源２４の二端の非発光電極エリア２４１に位置する方法により、光源２４の発生する光に影響を与えず、バックライトモジュール２の製品輝度を維持でき、且つ所謂信頼性試験実施時に、バックライトモジュール２の衝撃試験過程中に、ランプカバー２５の二側のストッパ片２５１が有効に導光板２２の移動を阻止して導光板２２の移動による光源２４に対する衝撃の問題を防止できる。
【００４０】
図１１は本発明の第５実施例の部分拡大図である。そのうち、ストッパ片２５２の形状は三角形とされる。図１２は本発明の第６実施例の部分拡大図である。そのうち、ストッパ片２５３の形状は方形とされる。図１３は本発明の第７実施例の部分拡大図である。そのうち、ストッパ片２５４の形状は半楕円形とされる。図１４は本発明の第８実施例の部分拡大図であり、そのうち、ストッパ片２５５の形状は台形とされる。これから分かるように、ストッパ片の形状に制限はなく、任意の形状とされる。
【００４１】
図１５は本発明の第９実施例の断面図である。そのうち、ストッパ片２５６の断面形状は外向き上向きに斜めに突出する。図１６は本発明の第１０実施例の断面図であり、そのうち、ストッパ片２５７の断面形状は半円形とされる。図１７は本発明の第１１実施例の断面図であり、そのうちストッパ片２５８の断面形状は三角形とされる。これから分かるように、ストッパ片の断面形状に制限はなく、任意の形状とされうる。
【００４２】
以上の実施例は説明のために提示されたものであって、本発明の実施範囲を限定するものではなく、本発明の主張する権利範囲は特許請求の範囲の記載に準じ、上述の実施例に制限されるものではない。
【図面の簡単な説明】
【００４３】
【図１】周知のバックライトモジュールの立体分解図である。
【図２】周知の光源の保護構造の断面図である。
【図３】本発明の第１実施例の立体分解図である。
【図４】本発明の第１実施例の部分拡大図である。
【図５】本発明の第１実施例の断面図である。
【図６】本発明の第２実施例の部分拡大図である。
【図７】本発明の第３実施例の部分拡大図である。
【図８】本発明の第４実施例の立体分解図である。
【図９】本発明の第４実施例の部分拡大図である。
【図１０】本発明の第４実施例の断面図である。
【図１１】本発明の第５実施例の部分拡大図である。
【図１２】本発明の第６実施例の部分拡大図である。
【図１３】本発明の第７実施例の部分拡大図である。
【図１４】本発明の第８実施例の部分拡大図である。
【図１５】本発明の第９実施例の断面図である。
【図１６】本発明の第１０実施例の断面図である。
【図１７】本発明の第１１実施例の断面図である。
【符号の説明】
【００４４】
１  バックライトモジュール          １１  下ケース板
１１１  側端                        １２  導光板
１３  反射カバー                    １３１  収容空間
１３２  開口                        １３３、１３４、１３５  凸点
１４  光源                          １４１  非発光電極エリア
１５  プリズム片                    １６  拡散片
２  バックライトモジュール          ２１  下ケース板
２１１  側端                        ２２  導光板
２３  反射カバー                    ２３１  収容空間
２３２  開口                        ２３３  開孔
２３４  延伸板                      ２４  光源
２４１  非発光電極エリア            ２５  ランプカバー
２５１、２５２、２５３、２５４、２５５、２５６、２５７、２５８  ストッパ片
２６  プリズム片                    ２７  拡散片
９  バックライトモジュール          ９１  下ケース板
９１１  側端                        ９２  導光板
９３  プリズム片                    ９４  拡散片
９５  反射カバー                    ９５１  折り片
９６  ランプカバー                  ９７  光源
９７１  非発光電極エリア
【図１】
2006128102.tif 000003
【図２】
2006128102.tif 000004
【図３】
2006128102.tif 000005
【図４】
2006128102.tif 000006
【図５】
2006128102.tif 000007
【図６】
2006128102.tif 000008
【図７】
2006128102.tif 000009
【図８】
2006128102.tif 000010
【図９】
2006128102.tif 000011
【図１０】
2006128102.tif 000012
【図１１】
2006128102.tif 000013
【図１２】
2006128102.tif 000014
【図１３】
2006128102.tif 000015
【図１４】
2006128102.tif 000016
【図１５】
2006128102.tif 000017
【図１６】
2006128102.tif 000018
【図１７】
2006128102.tif 000019